(57)【要約】【課題】優先度が低いまたは不要な監視情報および警報信号の送信を行うことなく効率のいい監視情報処理を行う。また、監視装置と監視サーバとの間で監視情報の送信抑止が発生した場合、直ちに保守者が認知できるようにする。【解決手段】監視装置から送信された監視情報および警報信号を、監視サーバ内の受信バッファに一旦蓄積し、不要な情報を除いて上位監視システムに監視情報を送信する。このとき、受信バッファのバッファ量をチェックし、バッファ量が所定のしきい値を超え、送信レイヤにて送信抑止が発生する場合には、監視サーバから上位監視システムに送信抑止発生情報を送信する。このとき、監視サーバおよび上位監視システムに優先通信ポートを設け、送信抑止発生情報を優先的に転送することもできる。この場合、上位監視システムでは、優先通信ポートで受信した送信抑止発生情報を優先的に処理するようにする。【選択図】図１
2009089111.tif 000002
【特許請求の範囲】
【請求項１】
一または二以上の監視装置とそれぞれ接続され、該監視装置から受信した情報を一時的に蓄積する一または二以上の受信バッファと、
上記受信バッファの、上記情報を処理し、処理後の情報を形成するとともに、上記受信バッファのバッファ量をチェックし、該バッファ量が所定のしきい値を越えた場合には、送信抑止発生情報を形成する制御部と、
上記処理後の情報および上記送信抑止発生情報を上位監視システムに対して送信する送信部と
を備える
ことを特徴とする監視サーバ。
【請求項２】
上記送信部は、優先通信ポートと非優先通信ポートと
を備え、
上記送信抑止発生情報を上記優先通信ポートから上記上位監視システムに対して送信する
ことを特徴とする請求項１に記載の監視サーバ。
【請求項３】
一または二以上の被監視装置について監視を行い、得られた監視情報を送信する監視装置と、
上記監視装置とそれぞれ接続され、該監視装置から受信した情報を一時的に蓄積する一または二以上の受信バッファと、該受信バッファの、上記情報を処理し、処理後の情報を形成するとともに、上記受信バッファのバッファ量をチェックし、該バッファ量が所定のしきい値を越えた場合には、送信抑止発生情報を形成する制御部と、
上記処理後の情報および上記送信抑止発生情報を上位監視システムに対して送信する送信部とを備える監視サーバと、
上記処理後の情報および上記送信抑止発生情報を基に、監視情報を発出する上位監視システムと
を備える
ことを特徴とする監視システム。
【請求項４】
上記送信部および上記上位監視システムは、それぞれ優先通信ポートと非優先通信ポートとを備え、
上記送信抑止発生情報を上記送信部の上記優先通信ポートから上記上位監視システムの上記優先通信ポートに対して送信し、
上記上位監視システムは、上記優先通信ポートで受信した上記送信抑止発生情報を優先的に処理する
ことを特徴とする請求項３に記載の監視システム。
【請求項５】
監視装置からの受信データを蓄積する一または二以上の受信バッファのバッファ量をチェックするチェックステップと、
上記バッファ量と、予め決められた所定のしきい値とを比較する比較ステップと、
上記バッファ量が上記しきい値を超えた場合には、送信抑止発生情報を上位監視システムに送信する通知ステップと
を備える
ことを特徴とする監視システムにおける通信方法。
【請求項６】
上記通知ステップは、
上記送信部の優先通信ポートから上記送信抑止発生情報を送信し、
上記上位監視システムの優先通信ポートにより上記送信抑止発生情報を受信し、
上記送信抑止発生情報を優先的に処理する
ことを特徴とする請求項５に記載の監視システムにおける通信方法。
【発明の詳細な説明】
【技術分野】
【０００１】
この発明は、伝送装置および付帯設備から発出された警報信号を監視する監視装置から監視情報を収集する監視サーバ、監視システムおよび監視システムにおける通信方法に関する。
【背景技術】
【０００２】
近年、被監視装置から発出される監視情報、例えば接点情報や各種状態量等のアナログ監視情報を監視・収集し、上位監視システムへ通知する監視装置が提案されている。被監視装置としては、種々のものを用いることが可能であるが、例えば通信事業者等における伝送装置や付帯設備が挙げられる。このような監視装置では、例えば以下の特許文献１および特許文献２のように、監視装置と上位監視システムを公衆回線および／または専用回線からなる通信網で接続し、この通信網で障害が発生した場合には、他の通信網を経由して監視情報や警報信号等を上位監視システムに送信するようにしている。
【０００３】
【特許文献１】特開平４−２９００４６号公報
【特許文献２】特開平１０−１６４０５９号公報
【０００４】
特許文献１には、交換局と、交換局を監視制御する保守センタとを、専用線と、専用線と別に設けられた公衆通信網とのそれぞれで接続し、保守運用情報を転送する専用線に異常が発生した場合には、公衆通信網を介して保守運用情報を保守センタに転送する保守運用情報の転送方法が記載されている。
【０００５】
また、特許文献２には、監視装置がアラーム情報を受けた場合において、監視装置とネットワーク網との間に異常が発生したときには、監視装置がアラーム情報を伝送装置を介して他の監視装置に送信し、他の監視装置からネットワーク網を介してアラーム情報をワークステーションに送信する警報収集方式が記載されている。
【０００６】
ところが、上述のような方法を用いた場合、保守者に知らせる必要のない情報までもが全て送信されてしまう。そこで、一または複数の監視装置と保守センタ等の上位監視システムとの間に監視サーバを設け、監視サーバ内の受信バッファに一または複数の監視装置からの監視情報を一旦蓄える。そして、監視サーバ内で必要な情報だけを選択し、選択した情報を上位監視システムに送信するようにする。これにより、保守者に知らせる必要のある重要な情報を選択して上位監視システムに情報を送信することができ、保守管理を効率よく行うことができる。
【発明の開示】
【発明が解決しようとする課題】
【０００７】
しかしながら、このような構成とした場合において、監視装置からの監視情報が多発したとき、監視サーバと監視装置との間でトラフィックが増大する。これにより、監視サーバの受信バッファがフルになってしまい、通信レイヤにて送信抑止が発生する。すなわち、監視装置に対してデータの送信が停止されるようになされる。
【０００８】
監視サーバへの情報の送信が抑止されると、監視装置は送信抑止が解除されるまで監視情報を蓄積することになる。監視サーバは送信抑止が発生していることが判るが、上位監視システムは、上位監視システムまで送信されてきた監視情報のみを監視しているため、監視装置と監視サーバとの間で送信抑止が発生していることを認知できない。このため、送信抑止が発生している受信バッファと接続された被監視装置において異常が発生した場合であっても、上位監視システムは異常が発生していることを確認することができない。
【０００９】
このため、保守者は、送信の抑止が解除されてはじめて警報信号が発生し、警報信号の転送が遅延したことを知ることとなるため、その後の対応に遅れが生じるという問題がある。
【００１０】
監視情報の送信量は常に一定ではなく状況により増減し、受信バッファがオーバーフローすることがある。このような問題は、受信バッファを大容量とすることにより防止することができるが、コストがかかってしまうため現実的でない。
【００１１】
したがって、この発明は、上記問題点を解消し、監視情報が多発した場合であっても警報信号を遅延なく上位監視システムに送信することができる監視サーバ、監視システムおよび監視システムにおける通信方法を提供することを目的とする。
【課題を解決するための手段】
【００１２】
上記課題を解決するために、この発明は、一または二以上の監視装置とそれぞれ接続され、監視装置から受信した情報を一時的に蓄積する一または二以上の受信バッファと、
受信バッファの情報を処理し、処理後の情報を形成するとともに、受信バッファのバッファ量をチェックし、バッファ量が所定のしきい値を越えた場合には、送信抑止発生情報を形成する制御部と、処理後の情報および送信抑止発生情報を上位監視システムに対して送信する送信部とを備えることを特徴とする監視サーバである。
【００１３】
また、この発明は、一または二以上の被監視装置について監視を行い、得られた監視情報を送信する監視装置と、監視装置とそれぞれ接続され、監視装置から受信した情報を一時的に蓄積する一または二以上の受信バッファと、受信バッファの情報を処理し、処理後の情報を形成するとともに、受信バッファのバッファ量をチェックし、バッファ量が所定のしきい値を越えた場合には、送信抑止発生情報を形成する制御部と、処理後の情報および送信抑止発生情報を上位監視システムに対して送信する送信部とを備える監視サーバと、処理後の情報および送信抑止発生情報を基に、監視情報を発出する上位監視システムとを備えることを特徴とする監視システムである。
【００１４】
また、この発明は、監視装置からの受信データを蓄積する一または二以上の受信バッファのバッファ量をチェックするチェックステップと、バッファ量と、予め決められた所定のしきい値とを比較する比較ステップと、バッファ量がしきい値を超えた場合には、送信抑止発生情報を上位監視システムに送信する通知ステップとを備えることを特徴とする監視システムにおける通信方法である。
【発明の効果】
【００１５】
この発明によれば、受信バッファのバッファ量を監視し、バッファ量がデータの送信抑止が発生する所定のしきい値を超えた場合に、上位監視システムに送信抑止発生情報を送信するようにしたため、上位監視システムにおいて監視情報を正確に得ることができる。
【発明を実施するための最良の形態】
【００１６】
以下、この発明の一実施の形態について図面を参照しながら説明する。
【００１７】
図１に、監視システム１の構成の一例を示す。監視システム１は、上位監視システム２と、上位監視システム２と接続された監視サーバ３と、監視サーバ３と接続された一または複数の監視装置４ａ、４ｂ・・・４ｎとを有している。なお、図１では、一例として監視装置４ａに伝送装置５ａおよび５ｂが接続され、監視装置４ｂに付帯設備６が接続されている構成を示しているが、監視装置４ｃ・・・４ｎのそれぞれにも伝送装置または付帯設備等の被監視装置が接続されているものとする。
【００１８】
監視装置４ａは伝送装置５ａおよび５ｂを、監視装置４ｂは付帯設備６を監視している。監視装置４ａおよび４ｂは、伝送装置５ａおよび５ｂ、ならびに付帯設備６から監視情報を収集し、監視サーバ３を介して上位監視システム２へ監視情報を送信する。監視情報としては、ドアの開閉等の接点情報や、温度等のアナログ監視情報、また、異常状態が生じた場合の警報信号が挙げられる。
【００１９】
また、上位監視システム２から伝送装置５ａおよび５ｂ、ならびに付帯設備６についての問い合わせがあった場合には、監視装置４ａは伝送装置５ａおよび５ｂの、監視装置４ｂは付帯設備６の状態について得た監視情報を監視サーバ３を介して上位監視システム２に送信する。
【００２０】
［監視装置］
監視装置４ａ、４ｂ・・・４ｎは、被監視装置を監視し、監視情報を監視サーバ３に送信する。監視装置４ａ、４ｂ・・・４ｎには、被監視装置の構成や環境に合わせて様々なインタフェースが設けられている。インタフェースとしては、例えば、接点情報インタフェース、ローカルバスインタフェース、ビデオインタフェース等が挙げられる。
【００２１】
［監視サーバ］
監視サーバ３は、受信バッファ３Ａ1、３Ａ2・・・３Ａnと、制御部３Ｂと、送信部３Ｃとを有しており、監視装置４ａ、４ｂ・・・４ｎから受信した監視情報を上位監視システム２に送信する。受信バッファ３Ａ1、３Ａ2・・・３Ａnでは、監視装置４ａ、４ｂ・・・４ｎから受信した監視情報が一時的に蓄積される。そして、制御部３Ｂにより、受信バッファ３Ａ1、３Ａ2・・・３Ａnに蓄積された監視情報が処理され、処理された監視情報は送信部３Ｃに送られる。なお、監視情報の処理としては、例えば不要な監視情報の送信を停止したり、必要であれば監視情報に対してデータの付加等を行うなどの処理が挙げられる。
【００２２】
制御部３Ｂでは、受信バッファ３Ａ1、３Ａ2・・・３Ａnのデータ蓄積量であるバッファ量をそれぞれ監視している。監視サーバ３は、受信バッファ３Ａ1、３Ａ2・・・３Ａnのいずれか一以上においてバッファ量が所定のしきい値を超えた場合、送信レイヤにおいてデータの送信抑止を行うとともに、送信抑止発生情報を上位監視システム２に送信する。なお、データの送信抑止は、バッファ量が所定のしきい値を超えた受信バッファに対して行う。
【００２３】
監視サーバ３では、受信バッファ３Ａ1、３Ａ2・・・３Ａnに蓄積された監視情報に対して優先順位をつけても良い。監視サーバ３では、データ付加部を設け、例えば優先情報であることを知らせるための所定のデータを付加したりすることも可能である。優先情報であることを知らせるためのデータが付加された監視情報は、送信部３Ｃに送られ、優先して上位監視システム２に送信されるようにすることもできる。これにより、重要な監視情報が優先して保守者に通知される。また、重要な監視情報を２以上に増やして送信することも可能である。
【００２４】
なお、制御部３Ｂは、ＣＰＵ（Central Processing Unit；中央演算処理装置）と、制御用プログラムが記憶されているＲＯＭ（Read Only Memory）、および各種のデータを記憶するＲＡＭ（Random Access Memory）によって構成されている。
【００２５】
［上位監視システム］
上位監視システム２は、監視サーバ３から送信された監視情報を受信部２Ａで受信し、例えば上位監視システム２に設けられたモニター（図示せず）に被監視装置の状態を表示する。伝送装置５ａおよび５ｂ、ならびに付帯設備６等の被監視装置、もしくは監視装置４ａ、４ｂ・・・４ｎに異常が生じて警報信号を受信した場合には、モニターに異常状態を表示したり、アラームを鳴らすように構成されている。
【００２６】
監視情報は所定ビット数のデータからなる。上位監視システム２では、受信した監視情報を、どこに配置されたどの監視装置から送信されたものであるのか、またどのような状態であるのかを、所定のフォーマットに変換する。そして、例えばモニター等に表示する。
【００２７】
このような監視サーバ３、監視装置４ａ、４ｂ・・・４ｎおよび被監視装置からなる下位グループ１１1、１１2・・・１１nは、複数設置される。また、下位グループ１１1、１１2・・・１１nは、例えば同じ建物内に設置されるのみでなく、異なる建物にそれぞれ設置しても良い。
【００２８】
上述のような監視サーバ３と、監視装置４ａ、４ｂ・・・４ｎとの間で監視情報の送信データ量が増大することがある。送信データ量の増大により、受信バッファ３Ａ1、３Ａ2・・・３Ａnのいずれかのバッファ量が１００％、もしくは１００％に近い所定のしきい値を超えたとき、上述のように、監視サーバ３は、通信レイヤで情報の転送を遮断してデータの送信抑止を行うと共に、上位監視システム２に送信抑止発生情報を優先的に送信する。
【００２９】
図２の上位監視システム２において、受信部２Ａは優先通信ポート２Ａ1と非優先通信ポート２Ａ2とを有し、また、監視サーバ３において、送信部３Ｃは優先通信ポート３Ｃ1と非優先通信ポート３Ｃ2とを有している。上位監視システム２と監視サーバ３とは例えば専用線で接続され、優先通信ポート２Ａ1と非優先通信ポート２Ａ2とが同一のアドレス上の異なるポートに設けられている。また、優先通信ポート３Ｃ1と非優先通信ポート３Ｃ2も同様に、同一のアドレス上の異なるポートに設けられている。
【００３０】
監視サーバ３は、通常時において、監視装置４ａ、４ｂ・・・４ｎから受信した監視情報を、非優先通信ポート３Ｃ2から送信する。監視情報は、上位監視システム２の非優先通信ポート２Ａ2で受信され、監視情報がモニター等に表示される。
【００３１】
そして、監視サーバ３と監視装置４ａ、４ｂ・・・４ｎとの間で送信データ量が増大し、通信レイヤで情報の送信抑止が発生すると、制御部３Ｂは監視サーバ３と、監視装置のいずれかの間で送信抑止が発生したことを示す送信抑止発生情報を優先通信ポート３Ｃ1から送信する。送信抑止発生情報は、例えば予め決められたデータからなる。送信抑止発生情報は、上位監視システム２の優先通信ポート２Ａ1に送られる。
【００３２】
上位監視システム２は、常に優先通信ポート２Ａ1で受信した送信抑止発生情報の処理を優先する。上位監視システム２は、優先通信ポート２Ａ1が送信抑止発生情報を受信した場合には、送信抑止が発生したことを保守者に知らせる処理を直ちに行う。送信抑止が発生したことを保守者に知らせる処理とは、送信抑止が発生した受信バッファに対応する監視装置の設置場所および送信抑止の発生をモニターに表示する等の処理である。そして、続いて非優先通信ポート２Ａ2の確認を行い、監視情報の処理を行う。また、優先通信ポート２Ａ1が送信抑止発生情報を受信していない場合には、非優先通信ポート２Ａ2で受信した監視情報の処理を行う。
【００３３】
このように、送信抑止の発生および解除についての情報が優先して処理されるようにすることにより、保守者は監視サーバ３と監視装置４ａ、４ｂ・・・４ｎとの間で送信抑止が発生したことを直ちに認知することができる。保守者は、送信抑止が発生している監視装置において異常が発生しているかもしれない、という認識の基に、他の手段にて異常が発生しているかを確認することもできる。
【００３４】
また、制御部３Ｂは、送信抑止が発生している受信バッファについて、バッファ量が所定のしきい値を下回り送信抑止が解除された場合にも、優先通信ポート３Ｃ1から優先通信ポート２Ａ1に送信抑止解除情報が送信される。
【００３５】
図２のフローチャートを用いて、送信抑止が行われる際の制御部３Ｂの動作を説明する。まず、ステップＳ１において、制御部３Ｂは各受信バッファ３Ａ1、３Ａ2・・・３Ａnのバッファ量をチェックする。そして、ステップＳ２において、受信バッファ３Ａ1、３Ａ2・・・３Ａnのバッファ量が所定のしきい値を超えたかを判断する。受信バッファ３Ａ1、３Ａ2・・・３Ａnの全てにおいてバッファ量が所定のしきい値を超えていない場合は処理を終了する。
【００３６】
受信バッファ３Ａ1、３Ａ2・・・３Ａnのいずれか一以上、例えば受信バッファ３Ａ1のバッファ量が所定のしきい値を超えた場合は、ステップＳ３において監視装置情報の検索を行う。監視装置情報とは、例えば、バッファ量が所定のしきい値を超えた受信バッファ３Ａ1と接続された監視装置４ａが設置されたビル名や支店名、ならびに監視装置４ａを特定するための装置情報等である。
【００３７】
この監視装置情報は、バッファ量がしきい値を超えた受信バッファ３Ａ1と接続された監視装置４ａの機器ＩＤ、例えばＩＰアドレス等のアドレスを基に検索される。制御部３Ｂ内には各監視装置４ａ，４ｂ・・・４ｎについて機器ＩＤを始めとする各種情報が記録された管理ファイルが記録されており、この管理ファイルを読み出して検索される。なお、管理ファイルに記録された機器ＩＤを始めとする各種情報は、所定ビット数の２進コードからなっている。
【００３８】
続いて、ステップＳ４において、送信抑止が行われたことを通知するための電文（所定ビット数のデータ）を作成した後、ステップＳ５においてこの電文を優先通信ポート３Ｃ1に送信する。これにより、制御部３Ｂの動作は終了する。
【００３９】
なお、送信抑止は、受信バッファにおけるバッファ量が１００％となった場合だけでなく、通信レイヤの送信抑止のレベルに応じて、任意にしきい値を設定することができる。さらに、受信バッファ３Ａ1、３Ａ2・・・３Ａnのそれぞれについて、バッファ量のしきい値を個別に設定し、受信バッファ３Ａ1、３Ａ2・・・３Ａnのバッファ量をそれぞれ監視するようにしても良い。
【００４０】
このような各監視装置４ａ、４ｂ・・・４ｎと、監視サーバ３とは、専用線、例えばイーサネット（登録商標）のようなネットワークで接続されている。また、伝送装置５ａおよび５ｂ、ならびに付帯装置６も同様に各監視装置４ａ、４ｂ・・・４ｎとネットワークで接続されている。
【００４１】
上述のような監視システム２では、受信バッファのバッファ量がしきい値を越えた場合に監視サーバから上位監視システムに送信抑止発生情報を送信するため、上位監視システムが送信抑止の発生を確実に認知することができる。また、送信抑止発生情報を監視サーバの優先通信ポートおよび上位監視システムの優先通信ポートを用いて転送し、優先して処理を行うことにより、上位監視システムは送信抑止の発生を直ちに認知することができる。
【００４２】
また、一旦受信バッファに監視情報を蓄積し、不要な情報を除いて上位監視システムに情報を送信することができるため、効率よく監視情報の処理を行うことができる。また、重要な情報については、受信バッファから選択して優先的に上位監視システムに送信することもできる。
【００４３】
このように、送信抑止の発生を直ちに認知できるような構成としたことで、正確な監視を行い、確実に状況を把握することができる。
【００４４】
以上、この発明の一実施の形態について具体的に説明したが、この発明は、上述の一実施の形態に限定されるものではなく、この発明の技術的思想に基づく各種の変形が可能である。
【図面の簡単な説明】
【００４５】
【図１】この発明の一実施形態にかかる監視システムの構成の一例を示す模式図である。
【図２】この発明の一実施形態にかかる監視サーバの動作を示すフローチャートである。
【符号の説明】
【００４６】
１・・・監視システム
２・・・上位監視システム
２Ａ・・・受信部
２Ａ1・・・優先通信ポート
２Ａ2・・・非優先通信ポート
３・・・監視サーバ
３Ａ1、３Ａ2・・・３Ａn・・・受信バッファ
３Ｂ・・・制御部
３Ｃ・・・送信部
３Ｃ1・・・優先通信ポート
３Ｃ2・・・非優先通信ポート
４ａ，４ｂ・・・４ｎ・・・監視装置
５ａ，５ｂ・・・伝送装置
６・・・付帯設備
１１1、１１2・・・１１n・・・下位グループ
【図１】
2009089111.tif 000003
【図２】
2009089111.tif 000004